(57)【要約】【課題】  遠隔制御操作に対応する遠隔制御信号の制御コードや制御コードのフォーマットが異なる複数の被遠隔制御機器を、単一のリモコン送信機で遠隔操作できるようにする。【解決手段】  遠隔制御操作が行われたときに、この遠隔制御操作に対応する複数の異なる遠隔制御信号を所定時間間隔で順次送信するリモコン送信機３０と、送信された複数の遠隔制御信号の中から、被遠隔制御機器１０，２０に対応する遠隔制御信号だけを判断し、被遠隔制御機器１０，２０を制御する受信機１，２とを設ける。【選択図】        図１
2006287535.tif 000002
【特許請求の範囲】
【請求項１】
遠隔制御操作が行われたときに、前記遠隔制御操作に対応する複数の異なる遠隔制御信号を所定時間間隔で順次送信するリモコン送信機と、
前記送信された前記複数の遠隔制御信号の中から、被遠隔制御機器に対応する前記遠隔制御信号だけを判断し、前記被遠隔制御機器を制御する受信機と、
を備えることを特徴とする遠隔制御システム。
【請求項２】
遠隔制御の操作を行う遠隔制御信号を送信するリモコン送信機と、
予め設定された操作毎の複数の異なる遠隔制御信号の中から、送信された遠隔制御信号に対応する操作を判断し、該操作に基づいて被遠隔制御機器を制御する受信機と、
を備えることを特徴とする遠隔制御システム。
【請求項３】
遠隔制御操作が行われたときに、前記遠隔制御操作に対応する複数の異なる遠隔制御信号を所定時間間隔で順次送信するリモコン送信機と、
予め設定された操作毎の複数の異なる遠隔制御信号の中から、前記リモコン送信機からの送信に基づいて対応する操作を判断し、該操作に基づいて被遠隔制御機器を制御する受信機と、
を備えることを特徴とする遠隔制御システム。
【請求項４】
前記受信機は、前記操作判断後、所定時間内は前記リモコン送信機からの送信に基づく操作の判断を行わないことを特徴とする請求項３記載の遠隔制御システム。
【請求項５】
前記複数の異なる遠隔制御信号は、それぞれカスタムコードとコマンドコードを含み、カスタムコードに対応した形式でコマンドコードが定義されていることを特徴とする請求項１乃至請求項４のいずれかに記載の遠隔制御システム。
【請求項６】
前記複数の異なる遠隔制御信号は、少なくとも搬送波周波数が同一であることを特徴とする請求項１乃至請求項５のいずれかに記載の遠隔制御システム。
【請求項７】
前記被遠隔制御機器は照明器具であることを特徴とする請求項１乃至請求項６のいずれかに記載の遠隔制御システム。
【発明の詳細な説明】
【技術分野】
【０００１】
本発明は、遠隔制御操作に対応する制御コードの形式（フォーマット）が異なる複数の被遠隔制御機器を、単一のリモコン送信機で遠隔操作できる、又は単一の被遠隔制御機器を、遠隔制御操作に対応する遠隔制御信号の制御コードのフォーマットが異なる複数のリモコン送信機で遠隔操作できる遠隔制御システムに関する。
【背景技術】
【０００２】
従来より、被制御機器である例えば照明器具をリモコン送信機によって遠隔制御できるようにしたものが知られている（例えば特許文献１参照）。
【０００３】
【特許文献１】特開平１１−１３６７７５号公報
【発明の開示】
【発明が解決しようとする課題】
【０００４】
しかしながら、このような従来の遠隔制御システムにあっては、照明器具メーカによって制御コードや制御コードのフォーマットが異なるため、照明器具とリモコン送信機は１対１の関係になっていた。すなわち、他社製の照明器具を自社製のリモコン送信機で遠隔操作できなかった。このため、照明器具メーカが照明器具のＯＥＭ供給を受けようとする場合、リモコン送信機を現有（自社製）のもので操作できるようにするためには、照明器具内の制御装置を自社に合わせて変更してもらうか、リモコン送信機も一緒にＯＥＭ供給受ける必要があった。
【０００５】
本発明の技術的課題は、遠隔制御操作に対応する遠隔制御信号の制御コードや制御コードのフォーマットが異なる複数の被遠隔制御機器を、単一のリモコン送信機で遠隔操作できる、又は単一の被遠隔制御機器を、送信される遠隔制御信号の制御コードや制御コードのフォーマットが異なる複数のリモコン送信機で遠隔操作できるようにすることにある。
【課題を解決するための手段】
【０００６】
本発明に係る遠隔制御システムは、遠隔制御操作が行われたときに、この遠隔制御操作に対応する複数の異なる遠隔制御信号を所定時間間隔で順次送信するリモコン送信機と、送信された複数の遠隔制御信号の中から、被遠隔制御機器に対応する遠隔制御信号だけを判断し、被遠隔制御機器を制御する受信機と、を備えるものである。
【発明の効果】
【０００７】
本発明の遠隔制御システムによれば、リモコン送信機を、遠隔制御操作を行ったときに、この遠隔制御操作に対応する複数の異なる遠隔制御信号を所定時間間隔で順次送信するように構成しているので、被遠隔制御機器内の制御装置を変更することなく制御コードや制御コードのフォーマットが異なる複数の被遠隔制御機器を、単一のリモコン送信機により遠隔操作することができる。さらに、照明器具をＯＥＭ供給受けたときでもリモコン送信機だけを変更することで、対応することができる。
【発明を実施するための最良の形態】
【０００８】
実施の形態１．
以下、図示実施形態により本発明を説明する。なお、ここでは遠隔制御の対象が照明器具である場合を例に挙げて説明する。図１は本発明の実施の形態１に係る遠隔制御システムすなわち照明制御システムにおける照明器具とリモコン送信機の関係を示すシステム構成図、図２は異なる制御コードを有するがコード数（ビット数）が同じである同一フォーマットの遠隔制御信号Ａ，Ｂを示す構成図、図３は異なるフォーマット（ビット数が異なる）の遠隔制御信号Ａ，Ｃを示す構成図、図４は搬送波周波数が同一でありかつ送信されている時間により「０」「１」を定義している信号の説明図、図５は「順送り」コマンドによる照明切替制御動作を示すフローチャート、図６は被制御機器である照明器具の内部構成図、図７はリモコン送信機の内部構成図、図８はリモコン送信機側の動作を示すフローチャート、図９はＡ社製照明器具側（Ａ社製受信機側）の動作を示すフローチャート、図１０はＢ社製照明器具側（Ｂ社製受信機側）の動作を示すフローチャート、図１１はＣ社製照明器具側（Ｃ社製受信機側）の動作を示すフローチャートである。なお、Ｃ社製照明器具のハード構成については、前記Ａ社製照明器具と前記Ｂ社製照明器具の比較説明等により事足りるため、図示を省略し、ここでは主にＡ社製照明器具とＢ社製照明器具の２つの照明器具を有するシステムとして説明し、Ｃ社製照明器具についての説明はソフト構成および動作の説明で行うものとする。
【０００９】
本実施形態の遠隔制御システムすなわち照明制御システムは、図１のように受信機１を有するＡ社製の照明器具１０と、受信機２を有するＢ社製の照明器具２０と、これら２つの照明器具１０，２０を遠隔操作可能な単一のリモコン送信機３０とから構成される。
【００１０】
照明器具１０，２０は、それぞれ蛍光ランプ１１，２１、及び保安球１２，２２を有している。照明器具１０の内部には、図６のようにそれぞれ受信機１からの信号により蛍光ランプ１１を全光点灯、調光点灯、又は消灯制御する点灯装置１３と、同じく受信機１からの信号により保安球１２のオン・オフ制御を行う保安球制御スイッチ１４が備えられている。点灯装置１３は、いわゆる電子安定器であり、高周波（４０ｋ〜８０ｋＨｚ）で蛍光ランプ１１を点灯させるもので、受信機１からの指令により、全光点灯（１００％）、調光点灯（６０％）、又は消灯制御する機能を有する。照明器具２０の内部のハード構成も前述の照明器具１０と同様であり、図６のように受信機２からの信号により蛍光ランプ２１を全光点灯、調光点灯、又は消灯制御する電子安定器すなわち点灯装置２３と、同じく受信機２からの信号により保安球２２のオン・オフ制御を行う保安球制御スイッチ２４が備えられている。
【００１１】
受信機１，２は、それぞれ制御装置１５，２５、受光回路１６，２６、受光素子である赤外線受光素子１７，２７、及びリモコン送信機３０のチャンネル切替スイッチに対応して設定するチャンネル設定スイッチ１８，２８を有している。制御装置１５，２５は、例えばマイクロコンピュータからなり、予め制御コードが登録されており、リモコン送信機３０側から送られてくる制御コードが予め登録されている制御コードと一致すればこれを認識して、点灯装置１３，２３や保安球制御スイッチ１４，２４を制御し、リモコン送信機３０側から送られてくる制御コードが登録されていなければコマンドを認識できないため破棄する（何もしない）機能を有する。そして、ここでは照明器具１０すなわち受信機１は、図２に示す制御コードＡ（Ａ社用のコード）で遠隔制御でき、照明器具２０すなわち受信機２は、制御コードＢ（Ｂ社、例えばＯＥＭメーカの制御コード）で遠隔制御できるように制御コードが登録されている。この図２の制御コードＡ及び制御コードＢの形式（フォーマット）は、標準化された同一のものであるが、同一の操作内容を送信する場合でも、そのカスタムコード（メーカなどを識別するためのコード）ＣＣ１、ＣＣ２部とＣＣ３、ＣＣ４部の内容と、コマンドコードＣＭ１、ＣＭ２部とＣＭ３、ＣＭ４部の内容は異なっているものである。
【００１２】
リモコン送信機３０は、操作スイッチ３１とチャンネル切替スイッチ３２を有し、内部には図７のように各種の制御コード、すなわち同一フォーマット（ビット数が同じ）で異なる制御コードＡ，Ｂ（図２）や異なるフォーマット（ビット数が異なる）の制御コードＡ，Ｃ（図３）、又はこれらの制御コードＡ，Ｂ，Ｃの全てが予め登録された例えば１チップマイコンなどの制御ＩＣからなる制御装置３３が設けられており、操作スイッチ３１を押すと、チャンネル切替スイッチ３２の接続状態をみて、図２に示す制御コードＡ，Ｂの信号や図３に示す制御コードＡ，Ｃの信号または図示しない制御コードＡ，Ｂ，Ｃの信号を生成して、トランジスタＴrを駆動し、ＬＥＤから赤外線信号として0.1sの間隔で順次送信する機能を有する。すなわち、リモコン送信機３０は、操作スイッチ３１が押される度に、メーカ毎に異なる遠隔制御信号、つまり図２及び図３に示す同一遠隔制御内容を異なるカスタムコードとコマンドコードでしている制御コードＡ，Ｂ，Ｃを所定の時間間隔（0.1s間隔）で送信する機能を持っている。ちなみに、このときの信号の定義は図４のように赤外線信号が同一搬送周波数で送信されている時間Ｔ１，Ｔ２により「０」「１」を定義している。さらに、各遠隔制御信号すなわち制御コードＡ，Ｂ，Ｃは、それぞれカスタムコードとコマンドコードを含み、カスタムコードに対応した形式でコマンドコードが定義されている。これにより、各照明器具メーカの照明器具に対して単一のリモコン送信機３０で対応することができるようになっている。
【００１３】
次に、前述の構成を有する本実施形態の遠隔制御システムすなわち照明制御システムの遠隔制御動作について図８乃至図１１に基づき図１及び図７を参照しながら説明する。なお、ここでは遠隔制御される照明器具１０，２０は、現在、消灯状態にあるものとする。図８のフローチャートに示すように、リモコン送信機３０の操作スイッチ３１を押すと（ステップＳ１１１）、制御装置３３はチャンネル切替スイッチ３２の接続状態をみて、例えばＡ社用のコマンドコードがＣＭ１＝００Ｈであり、またＣＭ２がＣＭ１のビット反転信号であるＦＦＨである「順送り」の信号を生成して、トランジスタＴrを駆動して、ＬＥＤから赤外線信号として制御コードＡを送信する（ステップＳ１１２）。次いで、これに対応するＢ社用の制御コードＢを作成して、制御コードＡを送信してから0.1s後に制御コードＢを送信する（ステップＳ１１３）。その後、制御コードＡに対応するＣ社用の制御コードＣを作成して、制御コードＢを送信してから0.1s後に制御コードＣを送信し（ステップＳ１１４）、処理を終了する。
【００１４】
なお、各制御コードＡ，Ｂ，Ｃを0.1s間隔で送信するようにした理由は以下の通りである。すなわち、一般的にはそれぞれの照明器具の受信機は、リモコン送信機３０の操作スイッチ３１のチャタリングによって、制御信号が複数送信されたときに、誤動作を防止できるようようにするために、遠隔操作信号を受信後所定時間の間、次の信号を受信しないように構成されている。しかし、この不感帯の時間を長く設定すると、各制御コードＡ，Ｂ，Ｃの送信信号と、使用者が操作スイッチ３１を操作することに伴う図５の「順送り」の遷移信号との区別ができなくなる。したがって、各制御コードＡ，Ｂ，Ｃを送信する間隔は、使用者による操作スイッチ３１の操作間隔よりも短くかつ操作スイッチ３１のチャタリングよる誤動作を防止できる時間に設定する必要があり、これらを満足させるために0.1s間隔としたものであり、この時間間隔に固定されるものでなく、前記必要条件を満足させ得る時間であれば、0.1s間隔よりも長い間隔でも、またそれよりも短い間隔としてもよい。
【００１５】
照明器具１０では、図９のフローチャートに示すように、リモコン送信機３０から制御コードＡ，Ｂ又はＣの送信があるとこれを受信し（ステップＳ２１１）、受信信号のリーダコード（準備させるためのコード）ＬＣで信号が送信されてきたことを認識し、受信した信号からカスタムコード（メーカなどを識別するためのコード）ＣＣ１、ＣＣ２を抽出し、予め受信機１に登録されている制御コードＡのカスタムコードと照合し（ステップＳ２１２）、受信した信号を識別し、照明器具１０を動作させるか否かの判断をする。つまり、受信信号のカスタムコードＣＣ１、ＣＣ２と登録されている制御コードＡのカスタムコードが一致するか否かをみて（ステップＳ２１３）、制御コードＡのカスタムコードと一致すれば、そのコマンドコードの判断処理を行う（ステップＳ２１４）。つまり、受信した信号から抽出したコマンドコードＣＭ１、ＣＭ２を解釈する。コマンドコードが例えばＣＭ１＝００Ｈであり、またＣＭ２がＣＭ１のビット反転信号であるＦＦＨであると判断すると、コマンドの意味は「順送り」であると判断して、以後、信号入力がある度に受信機１と制御装置１５は蛍光ランプ１１、保安球１２を図５のように順次切替制御する。ここでは照明器具１０が消灯状態にあるので、照明器具１０を全光点灯（１００％）の状態に遷移させ（ステップＳ２１５）、処理を終了する。
また、ステップＳ２１３にて制御コードＡと一致する信号がない、つまり受信信号のカスタムコードＣＣ１、ＣＣ２と登録されている制御コードＡのカスタムコードが一致しないと判断されれば、コマンドを認識できないため破棄し（何もしない）、処理を終了する。すなわち受信機１は、リモコン送信機３０から同一の制御内容の遠隔制御信号が送信されてきても、制御コードが異なる場合は何もせず、自己宛の制御信号でのみ制御動作を実行する。
【００１６】
照明器具２０では、図１０のフローチャートに示すように、リモコン送信機３０から制御コードＡ，Ｂ又はＣの送信があるとこれを受信し（ステップＳ３１１）、受信信号のリーダコード（準備させるためのコード）ＬＣで信号が送信されてきたことを認識し、受信した信号からカスタムコード（メーカなどを識別するためのコード）ＣＣ３、ＣＣ４を抽出し、予め受信機２に登録されている制御コードＢのカスタムコードと照合し（ステップＳ３１２）、受信した信号を識別し、照明器具２０を動作させるか否かの判断をする。つまり、受信信号のカスタムコードＣＣ３、ＣＣ４と登録されている制御コードＢのカスタムコードが一致するか否かをみて（ステップＳ３１３）、制御コードＢのカスタムコードと一致すれば、そのコマンドコードの判断処理を行う（ステップＳ３１４）。つまり、受信した信号から抽出したコマンドコードＣＭ３、ＣＭ４を解釈する。この場合、コマンドの意味は前述の制御コードＡと同じ操作を行わせるものであるため「順送り」であると判断され、以後、信号入力がある度に受信機２と制御装置２５は蛍光ランプ２１、保安球２２を図５のように順次切替制御する。ここでは照明器具２０が消灯状態にあるので、照明器具２０を全光点灯（１００％）の状態に遷移させ（ステップＳ３１５）、処理を終了する。
また、ステップＳ３１３にて制御コードＢと一致する信号がない、つまり受信信号のカスタムコードＣＣ３、ＣＣ４と登録されている制御コードＢのカスタムコードが一致しないと判断されれば、コマンドを認識できないため破棄し（何もしない）、処理を終了する。すなわち受信機２は、リモコン送信機３０から同一の制御内容の遠隔制御信号が送信されてきても、制御コードが異なる場合は何もせず、自己宛の制御信号でのみ制御動作を実行する。
【００１７】
また、消灯状態にあるＣ社製の照明器具（図示せず）がある場合は、図１１のフローチャートに示すように、リモコン送信機３０から制御コードＡ，Ｂ又はＣの送信があるとこれを受信し（ステップＳ４１１）、受信信号のリーダコード（準備させるためのコード）ＬＣで信号が送信されてきたことを認識し、受信した信号からカスタムコード（メーカなどを識別するためのコード）ＣＣ０、ＣＣ１、パリティコードＰ、製造工場コードＦＣ、及び製品コードＰＣを抽出し、予めＣ社製照明器具の受信機に登録されている制御コードＣのカスタムコード、パリティコード、製造工場コード、及び製品コードと照合し（ステップＳ４１２）、受信した信号を識別し、Ｃ社製照明器具を動作させるか否かの判断をする。つまり、受信信号のカスタムコードＣＣ０、ＣＣ１、パリティコードＰ、製造工場コードＦＣ、及び製品コードＰＣと、登録されている制御コードＣのカスタムコード、パリティコード、製造工場コード、及び製品コードが一致するか否かをみて（ステップＳ４１３）、制御コードＣの前記各コードと一致すれば、そのコマンドコードの判断処理を行う（ステップＳ４１４）。つまり、受信した信号から抽出したコマンドコードＣＭを解釈する。この場合、コマンドの意味は前述の制御コードＡと同じ操作を行わせるものであるため「順送り」であると判断され、以後、信号入力がある度にＣ社製照明器具の受信機と制御装置はＣ社製の蛍光ランプ、保安球を図５のように順次切替制御する。ここでは照明器具が消灯状態にあるので、照明器具を全光点灯（１００％）の状態に遷移させ（ステップＳ４１５）、処理を終了する。
また、ステップＳ４１３にて制御コードＣと一致する信号がない、つまり受信信号のカスタムコードＣＣ０、ＣＣ１、パリティコードＰ、製造工場コードＦＣ、及び製品コードＰＣと、登録されている制御コードＣのカスタムコード、パリティコード、製造工場コード、及び製品コードが一致しないと判断されれば、コマンドを認識できないため破棄し（何もしない）、処理を終了する。すなわちＣ社製照明器具の受信機は、リモコン送信機３０から同一の制御内容の遠隔制御信号が送信されてきても、制御コードが異なる場合は何もせず、自己宛の制御信号でのみ制御動作を実行する。
【００１８】
このように、本実施形態の遠隔制御システムすなわち照明制御システムにおいては、リモコン送信機３０の遠隔制御操作が行われたときに、この遠隔制御操作に対応する複数の異なる遠隔制御信号すなわち制御コードＡ，Ｂ，Ｃを0.1s間隔で順次送信するようにしているので、被遠隔制御機器である照明器具内の制御装置を変更することなく制御コードや制御コードのフォーマットが異なる複数の照明器具を、単一のリモコン送信機３０により遠隔操作することができる。さらに、照明器具をＯＥＭ供給受けたときでもリモコン送信機だけを変更することで、対応することができる。
【００１９】
また、複数の異なる遠隔制御信号すなわち制御コードＡ，Ｂ，Ｃは、それぞれカスタムコードとコマンドコードを含み、カスタムコードに対応した形式でコマンドコードが定義されているので、カスタムコードなどの信号を解釈できるようにすることで、異なるメーカの照明器具に対して同じ動作を行なわせることができる。
【００２０】
また、複数の異なる遠隔制御信号すなわち制御コードＡ，Ｂ，Ｃを、同一搬送周波数の赤外線信号にして送信するようにしているので、送受信機のコストを抑えることができる。
【００２１】
また、本実施形態のように本発明をリモコン送信機からの操作内容が少ない照明制御システムに適用することで、一つの操作スイッチの操作で複数の制御コードを送信する本システムにおいてもスイッチの操作から被制御機器である照明器具の動作が起こるまでの時間が短くて済み、操作性に影響しないシステムの構築が可能となる。
【００２２】
実施の形態２．
図１２は本発明の実施の形態２に係る遠隔制御システムすなわち照明制御システムにおける照明器具とリモコン送信機の関係を示すシステム構成図、図１３は独立して送信される異なるフォーマット（ビット数が異なる）の遠隔制御信号Ａ，Ｃを示す構成図、図１４はＡ社製リモコン送信機側の動作を示すフローチャート、図１５はＣ社製リモコン送信機側の動作を示すフローチャート、図１６は照明器具側（本発明受信機側）の動作を示すフローチャートであり、各図中、前述の実施の形態１に相当する部分には同一符号を付してある。なお、説明にあたっては前述の図６及び図７を参照するものとする。
【００２３】
本実施形態の遠隔制御システムすなわち照明制御システムは、図１のように受信機３を有する照明器具４０と、Ａ社製のリモコン送信機５０と、Ｃ社製のリモコン送信機６０とから構成される。
【００２４】
照明器具４０は、蛍光ランプ１１、及び保安球１２を有している。照明器具４０の内部には、図６のようにそれぞれ受信機３からの信号により蛍光ランプ１１を全光点灯、調光点灯、又は消灯制御する点灯装置１３と、同じく受信機３からの信号により保安球１２のオン・オフ制御を行う保安球制御スイッチ１４が備えられている。点灯装置１３は、いわゆる電子安定器であり、高周波（４０ｋ〜８０ｋＨｚ）で蛍光ランプ１１を点灯させるもので、受信機３からの指令により、全光点灯（１００％）、調光点灯（６０％）、又は消灯制御する機能を有する。
【００２５】
受信機３は、制御装置１５、受光回路１６、受光素子である赤外線受光素子１７、及びＡ社製のリモコン送信機５０やＣ社製のリモコン送信機６０のチャンネル切替スイッチに対応して設定するチャンネル設定スイッチ１８を有している。本実施形態においては、制御装置１５は、例えばマイクロコンピュータからなり、これに本実施形態においては各種の制御コード、すなわち独立して送信される異なるフォーマット（ビット数が異なる）の制御コードＡやＣ（図１３）が予め登録されており、Ａ社製のリモコン送信機５０やＣ社製のリモコン送信機６０から独立して送られてくる各種の制御コードＡやＣを認識して、点灯装置１３や保安球制御スイッチ１４を制御する機能を有する。つまり、照明器具４０すなわち受信機３は、図１３に示す制御コードＡ（Ａ社用のコード）や制御コードＣ（Ｃ社用のコード）のいずれでも遠隔制御できるようになっている。
【００２６】
Ａ社製のリモコン送信機５０やＣ社製のリモコン送信機６０は、現有の一般的なリモコン送信機であって、それぞれ操作スイッチ３１とチャンネル切替スイッチ３２を有し、内部には図７のようにそれぞれのメーカの制御コードが登録された例えば１チップマイコンなどの制御ＩＣからなる制御装置３３が設けられており、操作スイッチ３１を押すと、チャンネル切替スイッチ３２の接続状態をみて、図１３に示す制御コードＡの信号や制御コードＣの信号を生成して、トランジスタＴrを駆動し、ＬＥＤから赤外線信号として送信する機能を有する。つまり、リモコン送信機５０やＣ社製のリモコン送信機６０は、それぞれのメーカの制御コードしか送信しないものである。
【００２７】
次に、前述の構成を有する本実施形態の遠隔制御システムすなわち照明制御システムの遠隔制御動作について図１４乃至図１６に基づき図５乃至図７、図１２及び図１３を参照しながら説明する。なお、ここでも遠隔制御される照明器具４０は、現在、消灯状態にあるものとする。まず、リモコン送信機５０により操作を行う場合、図１４のフローチャートに示すように、リモコン送信機５０の操作スイッチ３１を押す（ステップＳ５１１）。これにより、制御装置３３はチャンネル切替スイッチ３２の接続状態をみて、例えばＡ社用のコマンドコードがＣＭ１＝００Ｈであり、またＣＭ２がＣＭ１のビット反転信号であるＦＦＨである「順送り」の信号を生成して、トランジスタＴrを駆動して、ＬＥＤから赤外線信号として制御コードＡを送信し（ステップＳ５１２）、処理を終了する。また、リモコン送信機６０により同様の「順送り」操作を行う場合は、図１５のフローチャートに示すように、リモコン送信機６０の操作スイッチ３１を押して（ステップＳ６１１）、同様の「順送り」操作を行なわせるための制御コードＣを送信し（ステップＳ６１２）、処理を終了する。
【００２８】
照明器具４０では、図１６のフローチャートに示すように、リモコン送信機５０又はリモコン送信機６０から制御コードＡ又は制御コードＣの送信があるとこれを受信し（ステップＳ７１１）、受信信号のリーダコード（準備させるためのコード）ＬＣで信号が送信されてきたことを認識し、受信した信号からカスタムコード（メーカなどを識別するためのコード）ＣＣ１、ＣＣ２を抽出し、予め受信機１に登録されている制御コードＡのカスタムコードと照合し（ステップＳ７１２）、受信した信号を識別し、照明器具４０を動作させるか否かの判断をする。つまり、受信信号のカスタムコードＣＣ１、ＣＣ２と登録されている制御コードＡのカスタムコードが一致するか否かをみて（ステップＳ７１３）、登録されている制御コードＡのカスタムコードと一致すれば、そのコマンドコードの判断処理を行う（ステップＳ７１４）。つまり、受信した信号から抽出したコマンドコードＣＭ１、ＣＭ２を解釈する。コマンドコードが例えばＣＭ１＝００Ｈであり、またＣＭ２がＣＭ１のビット反転信号であるＦＦＨであると判断すると、コマンドの意味は「順送り」であると判断して、以後、信号入力がある度に受信機３と制御装置１５は蛍光ランプ１１、保安球１２を図５のように順次切替制御する。ここでは照明器具４０が消灯状態にあるので、照明器具４０を全光点灯（１００％）の状態に遷移させ（ステップＳ７１５）、処理を終了する。
【００２９】
また、ステップＳ７１３にて制御コードＡと一致する信号がない、つまり受信信号のカスタムコードＣＣ１、ＣＣ２と登録されている制御コードＡのカスタムコードが一致しないと判断されれば、登録されている制御コードＣのカスタムコードが一致するか否かをみて（ステップＳ７１６）、登録されている制御コードＣのカスタムコードと一致すれば、そのコマンドコードの判断処理を行う（ステップＳ７１７）。コマンドの意味が例えば「順送り」であると判断されれば、以後、信号入力がある度に受信機３と制御装置１５は蛍光ランプ１１、保安球１２を図５のように順次切替制御する。ここでは照明器具４０が消灯状態にあるので、照明器具４０を全光点灯（１００％）の状態に遷移させ（ステップＳ７１８）、処理を終了する。
【００３０】
また、ステップＳ７１６にて登録されている制御コードＣとも一致する信号がないと判断されれば、コマンドを認識できないため破棄し（何もしない）、処理を終了する。
【００３１】
このように、本実施形態の遠隔制御システムすなわち照明制御システムにおいては、照明器具４０側に各種の制御コードを予め登録してあるので、制御コードが異なるリモコン送信機５０やリモコン送信機６０のいずれでも照明器具４０の遠隔操作が可能になる。このため、照明器具をＯＥＭ供給するメーカは、照明器具だけを生産することで、多数のメーカに供給することができることになるという利点がある。
【００３２】
実施の形態３．
図１７は本発明の実施の形態３に係る遠隔制御システムすなわち照明制御システムにおける照明器具側の動作を示すフローチャートである。なお、説明にあたっては前述の図５乃至図７を参照するものとする。
【００３３】
本実施形態の遠隔制御システムすなわち照明制御システムは、基本的に前述の実施の形態１で説明したリモコン送信機３０と前述の実施の形態２で説明した照明器具４０を組みあわせたものであり、リモコン送信機３０と照明器具４０の双方に予め各種の制御コードを登録してある点に特徴を有している。このような構成の場合、照明器具４０は、リモコン送信機３０から0.1s間隔で送信されてくる各種の制御コードを全て認識できるため、送信されてくる度、同じ操作信号の認識処理を繰り返してしまう。このこと自体、なにも問題はないが、ここでは制御コードの認識処理が行われた後の0.7s間を不感帯に設定して、その間は受信されても何もしないように設定し、0.7s後に受信した信号は図５の「順送り」の遷移信号として判断するように構成したものである。それ以外の構成は前述の実施の形態１及び実施の形態２のものと同様である。
【００３４】
次に、前述の構成を有する本実施形態の遠隔制御システムすなわち照明制御システムの遠隔制御動作について図１７に基づき図５乃至図７を参照しながら説明する。なお、ここでも遠隔制御される照明器具は、現在、消灯状態にあるものとする。まず、リモコン送信機３０の操作スイッチが押されると、リモコン送信機３０側からは異なるフォーマット（又は同一フォーマット）の制御コードＡ，Ｃが0.1s間隔で送信される。一方、照明器具４０側では、図１７のフローチャートに示すように、リモコン送信機３０から制御コードＡ又は制御コードＣの送信があるとこれを受信し（ステップＳ８１１）、受信信号のリーダコードで信号が送信されてきたことを認識し、受信した信号からカスタムコードを抽出し、予め受信機に登録されている制御コードＡのカスタムコードと照合し（ステップＳ８１２）、受信した信号を識別し、照明器具４０を動作させるか否かの判断をする。つまり、受信信号のカスタムコードと登録されている制御コードＡのカスタムコードが一致するか否かをみて（ステップＳ８１３）、登録されている制御コードＡのカスタムコードと一致すれば、そのコマンドコードの判断処理を行う（ステップＳ８１４）。つまり、受信した信号から抽出したコマンドコードを解釈する。コマンドコードが例えばＣＭ１＝００Ｈであり、またＣＭ２がＣＭ１のビット反転信号であるＦＦＨであると判断すると、コマンドの意味は「順送り」であると判断して、現在、消灯状態にある照明器具４０を全光点灯（１００％）の状態に遷移させた後（ステップＳ８１５）、0.7s経過するまで何もせず（ステップＳ８１６）、0.7s経過すれば、処理を終了する。
【００３５】
また、ステップＳ８１３にて制御コードＡと一致する信号がない、つまり受信信号のカスタムコードと登録されている制御コードＡのカスタムコードが一致しないと判断されれば、登録されている制御コードＣのカスタムコードが一致するか否かをみて（ステップＳ８１７）、登録されている制御コードＣのカスタムコードと一致すれば、そのコマンドコードの判断処理を行う（ステップＳ８１８）。コマンドの意味が例えば「順送り」であると判断されれば、以後、信号入力がある度に照明器具４０の受信機の制御装置は蛍光ランプ、保安球を図５のように順次切替制御する。ここでは照明器具４０が消灯状態にあるので、照明器具４０を全光点灯（１００％）の状態に遷移させた後（ステップＳ８１９）、ステップＳ８１６に進み、ステップＳ８１６にて0.7s経過したと判断されれば、処理を終了する。
【００３６】
また、ステップＳ８１７にて登録されている制御コードＣとも一致する信号がないと判断されれば、コマンドを認識できないため破棄し（何もしない）、処理を終了する。
【００３７】
このように、本実施形態の遠隔制御システムすなわち照明制御システムにおいては、基本的に前述の実施の形態１で説明したリモコン送信機３０と前述の実施の形態２で説明した照明器具４０を組みあわせたものであるため、前述の実施の形態１及び前述の実施の形態２のもつ機能を全て備えている。
【００３８】
また、１つの処理が行われた後に、0.7s間の不感帯を設けているので、照明器具４０の受信機の制御装置の負担を軽減することができる。
【００３９】
なお、前述の各実施形態では本発明を照明制御システムに用いたものを例に挙げて説明したが、遠隔操作が行われる他の家電機器へも適用できることは言うまでもない。
【図面の簡単な説明】
【００４０】
【図１】本発明の実施の形態１に係る遠隔制御システムにおける照明器具とリモコン送信機の関係を示すシステム構成図である。
【図２】本発明の実施の形態１に係る遠隔制御システムで用いられる遠隔制御信号の構成図である。
【図３】本発明の実施の形態１に係る遠隔制御システムで用いられる遠隔制御信号の構成図である。
【図４】本発明の実施の形態１に係る遠隔制御システムで用いられる搬送波周波数が同一でかつ送信されている時間により「０」「１」を定義している信号の説明図である。
【図５】本発明の実施の形態１に係る遠隔制御システムの「順送り」コマンドによる照明切替制御動作を示すフローチャートである。
【図６】本発明の実施の形態１に係る遠隔制御システムの被制御機器である照明器具の内部構成図である。
【図７】本発明の実施の形態１に係る遠隔制御システムのリモコン送信機の内部構成図である。
【図８】本発明の実施の形態１に係る遠隔制御システムのリモコン送信機側の動作を示すフローチャートである。
【図９】本発明の実施の形態１に係る遠隔制御システムのＡ社製照明器具側（Ａ社製受信機側）の動作を示すフローチャートである。
【図１０】本発明の実施の形態１に係る遠隔制御システムのＢ社製照明器具側（Ｂ社製受信機側）の動作を示すフローチャートである。
【図１１】本発明の実施の形態１に係る遠隔制御システムのＣ社製照明器具側（Ｃ社製受信機側）の動作を示すフローチャートである。
【図１２】本発明の実施の形態２に係る遠隔制御システムにおける照明器具とリモコン送信機の関係を示すシステム構成図である。
【図１３】本発明の実施の形態２に係る遠隔制御システムで用いられる遠隔制御信号の構成図である。
【図１４】本発明の実施の形態２に係る遠隔制御システムのＡ社製リモコン送信機側の動作を示すフローチャートである。
【図１５】本発明の実施の形態２に係る遠隔制御システムのＣ社製リモコン送信機側の動作を示すフローチャートである。
【図１６】本発明の実施の形態２に係る遠隔制御システムの照明器具側の動作を示すフローチャートである。
【図１７】本発明の実施の形態３に係る遠隔制御システムの照明器具側の動作を示すフローチャートである。
【符号の説明】
【００４１】
１，２，３  受信機、１０，２０，４０  照明器具（被遠隔制御機器）、３０，５０，６０  リモコン送信機。
【図１】
2006287535.tif 000003
【図２】
2006287535.tif 000004
【図３】
2006287535.tif 000005
【図４】
2006287535.tif 000006
【図５】
2006287535.tif 000007
【図６】
2006287535.tif 000008
【図７】
2006287535.tif 000009
【図８】
2006287535.tif 000010
【図９】
2006287535.tif 000011
【図１０】
2006287535.tif 000012
【図１１】
2006287535.tif 000013
【図１２】
2006287535.tif 000014
【図１３】
2006287535.tif 000015
【図１４】
2006287535.tif 000016
【図１５】
2006287535.tif 000017
【図１６】
2006287535.tif 000018
【図１７】
2006287535.tif 000019